(57)【要約】【課題】通常はゴミ収容庫として使用し、非常時に簡易トイレとして使用できるゴミ収容庫を提供することを課題とする。【解決手段】簡易トイレ兼用ゴミ収容庫として、ゴミ又はゴミ箱を収納する直方体状の箱体からなる本体部と、本体部の内側の側壁に固定される扁平な箱体からなり、前面板が両側面板に水平軸周りに回転可能に固定されるとともに、ほぼ水平状態で回転が規制されるように形成され、当該前面板には便座を形成するための穴が設けられている便座形成部とをから構成する。【選択図】  図４
2014055051.tif 000002
【特許請求の範囲】
【請求項１】
ゴミ又はゴミ箱を収納する直方体状の箱体からなる本体部と、
本体部の内側の側壁に固定される扁平な箱体からなり、前面板が両側面板に水平軸周りに回転可能に固定されるとともに、ほぼ水平状態で回転が規制されるように形成され、当該前面板には便座を形成するための穴が設けられている便座形成部と、
を有する簡易トイレ兼用ゴミ収容庫。
【請求項２】
前記本体部は、上面にヒンジにより９０度以上回転して開く蓋体又は取り外せる蓋体を有することで上面が開放可能に形成されるものであって、
前記便座形成部内部に収納される四本の棒体と、
前記開放された本体部上面の四隅に設けられる前記棒体を立設する固定する棒体保持部と
を有する請求項１に記載の簡易トイレ兼用ゴミ収容庫。
【請求項３】
前記本体部内部に設けられる充電式のランプと、
前記本体部内外に着脱可能に保持される、前記ランプに接続可能な太陽電池パネルと、
前記棒体保持部に立設された棒体に掛けられることで前記本体部を覆う、前記便座形成部内に収納されるシート体であって、前記太陽電池パネルを保持する太陽電池パネル保持手段を有するシート体と
を有する請求項２に記載の簡易トイレ兼用ゴミ収容庫。
【発明の詳細な説明】
【技術分野】
【０００１】
本発明は、通常はゴミやゴミ箱を収納し、非常時には簡易トイレとして使用できるゴミ収納庫に関する。
【背景技術】
【０００２】
地震等の災害が生じた際、建物内のトイレが使用できなくなった場合には、多くの場合仮設トイレが利用される。仮設トイレは、運搬により現場に設置でき、水洗処理を必要としないものあり、災害時における利便性が高い。
【発明の概要】
【発明が解決しようとする課題】
【０００３】
しかし、仮設トイレは運搬により運ぶ必要があるために、災害により道路が使えない状況になれば運ぶことができず、また、トイレは常時必要なものであるために、道路の復旧を待つことができない。
一方で、多くの集合住宅や、地域のゴミ収集所には、ゴミを集めて保管するためのゴミ収容庫が設けられている。ゴミ収容庫は人が住む地域には一定範囲に必ずいくつか存在するので、これに簡易トイレの機能を付与できれば、災害時に道路が寸断された状態となっても、トイレを確保することができると考えられる。
本発明は、このような観点に立ち、通常はゴミ収容庫として使用し、非常時に簡易トイレとして使用できるゴミ収容庫を提供することを課題とする。
【課題を解決するための手段】
【０００４】
上記課題を解決するために、本発明は次のような構成を有する。
請求項１に記載の発明は、ゴミ又はゴミ箱を収納する直方体状の箱体からなる本体部と、  本体部の内側の側壁に固定される扁平な箱体からなり、前面板が両側面板に水平軸周りに回転可能に固定されるとともに、ほぼ水平状態で回転が規制されるように形成され、当該前面板には便座を形成するための穴が設けられている便座形成部とを有する簡易トイレ兼用ゴミ収容庫である。
請求項２に記載の発明は、前記簡易トイレ兼用ゴミ収容庫において、前記本体部は、上面にヒンジにより９０度以上回転して開く蓋体又は取り外せる蓋体を有することで上面が開放可能に形成されるものであって、前記便座形成部内に収納される四本の棒体と、  前記開放された本体部上面の四隅に設けられる前記棒体を立設する固定する棒体保持部とを有するものである。
請求項３に記載の発明は、請求項２に記載の簡易トイレ兼用ゴミ収容庫において、前記本体部内部に設けられる充電式のランプと、前記本体部内外に着脱可能に保持される、前記ランプに接続可能な太陽電池パネルと、前記棒体保持部に立設された棒体に掛けられることで前記本体部を覆う、前記便座形成部内に収納されるシート体であって、前記太陽電池パネルを保持する太陽電池パネル保持手段を有するシート体とを有するものである。
【発明の効果】
【０００５】
請求項１に記載の発明は、平時は、内壁に固定される偏平な便座形成部はゴミの収容に際してほとんど邪魔にならないので、本体部はゴミ収容庫として使用でき、災害時には、便座形成部の前面板を倒して水平状態とし、前面板の穴に合成樹脂性の袋などを便座板に設けられた穴に固定することで簡易トイレとして使用することができる。また、便座形成部は偏平な箱体であるので、内部に合成樹脂性の袋や、糞尿を凝固させる薬剤、ティッシュペーパー、消毒液など簡易トイレに必要なものを収納しておくことができる。
請求項２に記載の発明は、簡易トイレとして使用する際に、本体部の上面を開放して、上面の四隅に棒体を立設し、当該棒体にカーテン等の適当なシート体を掛けて内部を隠すことで、本体部の高さが低い場合でも、使用者が立った状態や中腰の状態で外から見られないようにすることできる。
請求項３に記載の発明は、前記棒体に掛けるシートに太陽電池パネルを固定でき、当該太陽電池により昼間に本体部内部の充電式のランプに充電をしておけば、夜間でもランプの灯りにより簡易トイレを使用することができる。
【図面の簡単な説明】
【０００６】
【図１】実施形態に係る簡易トイレ兼用ゴミ収納庫の斜視図である。
【図２】実施形態に係る簡易トイレ兼用ゴミ収納庫の上蓋を開けた状態の斜視図である。
【図３】実施形態に係る簡易トイレ兼用ゴミ収納庫の上蓋、側壁の二面を省略した状態を示す斜視図である。
【図４】実施形態に係る簡易トイレ兼用ゴミ収納庫の上蓋、側壁の二面を省略し、便座形成部の前面板を倒した状態を示す斜視図である。
【図５】実施形態に係る簡易トイレ兼用ゴミ収納庫の目隠しシートを装着した状態を示す斜視図である。
【図６】（ａ）は底部に穴を設けた簡易トイレ兼用ゴミ収納庫を示す斜視図であり、（ｂ）は底部に穴を設けた簡易トイレ兼用ゴミ収納庫の蓋板を取り外した状態を示す斜視図である。
【発明を実施するための形態】
【０００７】
以下、本発明の実施の形態について、図面を参照しながら説明する。
図１に実施形態に係る簡易トイレ兼用ゴミ収納庫Ｘの斜視図を示し、図２に簡易トイレ兼用ゴミ収納庫Ｘの上蓋を開けた状態の斜視図を示す。
簡易トイレ兼用ゴミ収納庫Ｘは本体部１０と、便座収納部２０とから構成される。本体部１０は、前面が開放した箱体であり、側壁はパンチングメタルにより形成されている。上面には後部上縁にヒンジを介して回動可能固定される上蓋１１が設けられている。また、上蓋１１を開けた上面の四隅には後述する棒体を立設固定するための、上面に雌ネジが形成されたブロック体からなる棒体保持部１２が設けられている。
【０００８】
便座収納部２０は、偏平な箱体であり本体部１０の背面側の側壁内部に固定されている。図３に本体部の上蓋と二面の側壁を省略した簡易トイレ兼用ゴミ収納庫Ｘの斜視図を示す。便座収納部２０の前面板２１は、両側面板２２、２２に下方近傍位置において水平軸回りに回転可能に固定されており、前方に倒すことができる。前面板２１の上部前方には、前面板２１を前方に倒したときに、前面板２１をほぼ水平状態で保持するための脚板２１ａがヒンジを介して回転可能に設けられている。なお、脚板２１ａは前面板２１に対してほぼ直角になった位置でロックされるようになっている。図４に図３の状態から前面板２１を倒した状態の斜視図を示す。脚板２１ａの上下方向の幅は、便座収納部２０の固定位置と、前面板２１の回転軸の位置に合わせて、前面板２１が水平状態となったときに下端が本体部１０の底に接するような長さに設定される。図４に示すように前面板２１には小判型の穴２１ｂが形成されている。また、便座収納部２０の内部には充電池により電力を充電可能なＬＥＤランプ２３が固定されている。なお、ＬＥＤランプ２３の電力入力端子は図示しない本体部１０の背面側に設けられる。
【０００９】
また、図４に示すように便座収納部２０の内部には、前面板２１の穴２１ｂに嵌めて使用する内部に糞尿を凝固する薬剤が入った合成樹脂性の袋３０、本体部１０の四隅に立設する棒体を形成する棒体セット４０、棒体に掛ける目隠しシート５０が収納されている。また、本体部１０の底面には図示しない薄い棚が設けられており、ここに太陽電池パネル６０が収納されている。棒体セット４０は、二本一組で連結することで長い棒体となる丸棒であり、下端側を構成する丸棒の下端には、本体部１０の前記棒体保持部１２に設けられた雌ネジに係合する雄ネジが形成されている。
【００１０】
次に、以上のような構成を有する簡易トイレ兼用ゴミ収納庫Ｘの使用方法について説明する。平時においては、図１に示すように、内部にポリエチレン製のバケツＢを内部に載置し、バケツＢ内にゴミを入れて保管する。本体部１０には上蓋１１があるので、バケツＢの蓋を省略して使用することができる。
一方、災害時には、まず、上蓋２１を背面側まで開き、内部のバケツＢを取り出し、図４に示すように便座形成部２０の前面板２１を脚板２１ａにより支えるようにして水平状態とする。そして、便座形成部２０内部に収納している袋３０、棒体セット４０、目隠しシート５０を取り出し、さらに、本体部１０底面から太陽電池パネル６０を取り出す。次に、棒体セット４０を組み立てて長い棒体とし、本体部１０の棒体保持部１２に立設固定する。次に、立設した棒体に図５に示すように目隠しシート５０を広げて掛ける。目隠しシート５０は外部から透けない薄いシートであり、棒体に引っ掛けたときに本体部１０の下端近傍まで覆う長さを有する。また、目隠しシート５０の前面側はシートの端同士が重なって出入り口を構成するようになっている。さらに、目隠しシート５０の上面には、太陽電池パネル６０の四隅に係合する三角の布からなるパネル固定部５１が設けられているので、ここに太陽電池パネル６０を固定し、太陽電池パネル６０のコードを便座形成部２０のＬＥＤランプ２３の電力入力端子に接続する。以上で簡易トイレが完成する。使用者がトイレとして使用する場合、凝固剤の入った合成樹脂の袋３０を前面板２１の穴２１ｂに装着して用を足せばよい。また、太陽電池パネル６０によって充電されたＬＥＤランプ２３が簡易トイレの内部を照らすことができるので、夜間でも使用が可能となる。
【００１１】
なお、上記実施形態では、説明していないが、便座形成部２０には前面板２１を閉じた状態で保持するための錠を設けておくことが望ましい。また、便座形成部２０は背面の側壁に設けているが、左右いずれかの側壁に設けるようにしてもよい。さらに、本体部１０が大きい場合は、複数の便座形成部２０を並べて間に仕切りを設けることができるようにしてもよい。そして、上記実施形態では目隠しシート５０を予め収納しているが、災害時でもカーテンは損傷せず残っていることが多いと考えられるので、目隠しシート５０を収納せずに家庭用のカーテンを目隠しシートとして転用するようにてもよい。また、目隠しシート５０の太陽電池パネルの固定手段としては、太陽電池パネル背面に面ファスナーの係合部を設けるとともに、目隠しシート５０に面ファスナーの被係合部を設けたり、太陽電池パネル側に穴を設け、シート側にこれ通して結ぶための紐を設けたり、シート側に太陽電池パネルに係合する金具を設けたり等種々の変更が可能である。
【００１２】
さらに、図６（ａ）に示すように、本体部１０の底板に穴１３を設け、これを蓋板１４で塞ぐようにしてもよい。穴１３は便座形成部２０の前面板２１を倒したときに、前面板２１の穴２１ｂに重なるように設けられるものである。このように本体部１０の底板に穴１３を設けることで、設置場所の地面に穴を掘ったり、設置場所の地面に予め穴を形成しておいたりすることで、図６（ｂ）に示すように蓋板１４を取り去ってから、便座形成部２０の前面板２１を倒すと、便座となる穴２１ｂの直下に、地面の穴が重なることとなるので、当該穴に糞尿を入れるようにすることができる。そして、当該穴が土に形成される深い穴であればそのまま糞尿を埋めることができ、また、処理材を当該穴の中に入れバイオトイレとして使用することもできる。なお、本体部１０の底板の裏に棚を有する場合には、棚板を取り外せるようにするか、棚板にも穴を設けるようにしておけばよい。
【符号の説明】
【００１３】
Ｘ  簡易トイレ兼用ゴミ収納庫
１０  本体部
１１  上蓋
１２  棒体保持部
２０  便座形成部
２１  前面板
２１ｂ  穴
２２  背面板
２３  ＬＥＤランプ
４０  棒体セット
５０  目隠しシート
５１  パネル固定部
【図１】
2014055051.tif 000003
【図２】
2014055051.tif 000004
【図３】
2014055051.tif 000005
【図４】
2014055051.tif 000006
【図５】
2014055051.tif 000007
【図６】
2014055051.tif 000008